【手続補正書】
【提出日】平成30年1月4日(2018.1.4)
【手続補正１】
【補正対象書類名】特許請求の範囲
【補正対象項目名】全文
【補正方法】変更
【補正の内容】
【特許請求の範囲】
【請求項１】
ジオフェンスをプロビジョニングする方法であって、前記方法が、コンピューティングデバイスにおいて実施され、
１つまたは複数の地理的エンティティを備える地図を表示することと、前記１つまたは複数の地理的エンティティの各々は、ユーザによって選択可能であり、かつ前記地理的エンティティの境界を定義する予め記憶されたゾーン輪郭描写情報に関連する、
前記表示に応答して、前記１つまたは複数の地理的エンティティのうちの１つまたは複数の選択された地理的エンティティの前記ユーザによる選択を受信することと、
前記選択に応答して、少なくとも１つのジオフェンスを作成することと
を備え、前記少なくとも１つのジオフェンスを作成することは、前記少なくとも１つのジオフェンスが、前記予め記憶されたゾーン輪郭描写情報によって定義された境界を含むように、前記１つまたは複数の選択された地理的エンティティの各々に関連する前記予め記憶されたゾーン輪郭描写情報を識別することを含む、方法。
【請求項２】
前記地図を表示することが、
前記ユーザによって選択可能な複数の地理的エンティティを表示することと、
前記複数の地理的エンティティのうちの第１の地理的エンティティを前記ユーザが選択するための推奨を表示することと
をさらに備える、請求項１に記載の方法。
【請求項３】
前記ユーザが、１つまたは複数のキーワードを入力することによって、１つまたは複数の地理的エンティティを選択できるようにするインターフェースを提供することと、
前記ユーザによって入力されるキーワードを受信することと、
第２の地理的エンティティが前記入力されたキーワードに一致する属性に関連することを決定することに応答して、前記第２の地理的エンティティに対応するジオフェンスを作成することと
をさらに備える、請求項１に記載の方法。
【請求項４】
前記ユーザが、１つまたは複数のキーワードを入力することによって、前記地図を変更できるようにするインターフェースを提供することと、
前記ユーザによって入力されるキーワードを受信することと、
前記複数の地理的エンティティの第３の地理的エンティティの属性が、前記入力されたキーワードに一致しないことを決定することに応答して、前記第３の地理的エンティティを表示するのを中止することと
をさらに備える、請求項１に記載の方法。
【請求項５】
前記推奨を表示することが、
前記複数の地理的エンティティのうちの前記第１の地理的エンティティを強調表示すること、前記複数の地理的エンティティのうちの前記第１の地理的エンティティの太い輪郭を示すこと、またはそれらの組合せのうちの少なくとも１つを備える第１の描写方法を使用して前記複数の地理的エンティティのうちの前記第１の地理的エンティティを表すこと
を備える、請求項２に記載の方法。
【請求項６】
前記複数の地理的エンティティのうちの前記第１の地理的エンティティが推奨基準を満たすことを決定することに応答して、前記第１の描写方法を使用して前記複数の地理的エンティティのうちの前記第１の地理的エンティティを表すことが実行される、
請求項５に記載の方法。
【請求項７】
前記複数の地理的エンティティのうちの前記第１の地理的エンティティが前記推奨基準を満たすことを決定することが、前記複数の地理的エンティティのうちの前記第１の地理的エンティティの前の選択の数に基づく、または前記複数の地理的エンティティのうちの前記第１の地理的エンティティの近くで利用可能なモバイルデバイス位置特定リソースを示す情報に基づく、請求項６に記載の方法。
【請求項８】
前記少なくとも１つのジオフェンスを作成することが、前記予め記憶されたゾーン輪郭描写情報を参照するコードを生成することを含む、請求項１に記載の方法。
【請求項９】
ジオフェンスをプロビジョニングする方法であって、前記方法が、コンピューティングデバイスにおいて実施され、
１つまたは複数の地理的エンティティの各々に関連する予め記憶されたゾーン輪郭描写情報を記憶することと、前記予め記憶されたゾーン輪郭描写情報は、前記地理的エンティティの境界を定義する、
ユーザによって提供される第１の入力を受信することと、前記第１の入力が１つまたは複数のキーワードを含む、
前記１つまたは複数の地理的エンティティのうちの第１の地理的エンティティが前記１つまたは複数のキーワードに一致する属性を有することを決定することと、
前記第１の地理的エンティティに対応するジオフェンスを作成することと
を備え、前記ジオフェンスを作成することは、前記ジオフェンスが前記予め記憶されたゾーン輪郭描写情報によって定義された境界を含むように、前記地理的エンティティに関連する前記予め記憶されたゾーン輪郭描写情報を識別することを含む、方法。
【請求項１０】
前記ユーザによって入力される論理的表現を受信することと、前記論理的表現が複数のキーワードと少なくとも１つの論理演算子とを含む、
前記論理的表現を満たすように、前記複数のキーワードに一致する属性を有する追加の地理的エンティティを識別することと、
前記追加の地理的エンティティを識別することに応答して、前記追加の地理的エンティティに対応するジオフェンスを作成することと
をさらに備える、請求項９に記載の方法。
【請求項１１】
前記ユーザから入力を受信することと、前記入力が複数のキーワードを含む、
第２の地理的エンティティの属性と前記複数のキーワードとの間の属性−キーワードの一致の第１の量と、
第３の地理的エンティティの属性と前記複数のキーワードとの間の属性−キーワードの一致の第２の量と
を比較することと、
前記第１の量が前記第２の量よりも大きいことを決定することに応答して、前記第２の地理的エンティティに対応する第２のジオフェンスを作成することと
をさらに備える、請求項１０に記載の方法。
【請求項１２】
前記比較の結果に基づいて前記第３の地理的エンティティよりも前記第２の地理的エンティティを優先させることと、
前記第３の地理的エンティティよりも前記第２の地理的エンティティが優先されることに基づいて、第１の組の位置特定情報のソースおよび第２の組の位置特定情報のソースを定義することと、
前記第２の地理的エンティティに対して前記モバイルデバイスの第１の位置を決定することと、前記第１の位置を決定することが、前記第１の組の前記ソースを使用することを含む、
前記第３の地理的エンティティに対して前記モバイルデバイスの第２の位置を決定することと、前記第２の位置を決定することが、前記第２の組の前記ソースを使用することを含む、
をさらに備える、請求項１１に記載の方法。
【請求項１３】
前記第１の地理的エンティティに対応するジオフェンスを作成することが、モバイルデバイスが第１の位置にあることを決定することに応答して実行され、
前記方法は、
前記第１の地理的エンティティに対応する前記ジオフェンスを作成することの後に、前記モバイルデバイスが第２の位置にあることを決定することと、
前記モバイルデバイスが前記第２の位置にあることを決定することに応答して、第２の地理的エンティティに対応するジオフェンスを作成することと、
前記第２の位置および前記第１の位置を分離する距離を決定することと、
前記距離が距離しきい値を超えることを決定することと、
前記距離が前記距離しきい値を超えることを決定することに応答して、前記第１の地理的エンティティに対応する前記ジオフェンスを非アクティブ化することと
をさらに備える、請求項９に記載の方法。
【請求項１４】
ジオフェンスをプロビジョニングするように構成された装置であって、
メモリと、
前記メモリに結合され、請求項１−８に記載のいずれか一項のステップを実行するように構成されるプロセッサと
を備える、装置。
【請求項１５】
ジオフェンスをプロビジョニングするための装置であって、
請求項９において言及されたような予め記憶されたゾーン輪郭描写情報を記憶するように構成されたメモリと、
前記メモリに結合され、請求項９−１３のいずれか一項のステップを実行するように構成されるプロセッサと
を備える、装置。